(57)【要約】【課題】  ケース入りのＣＤ・ＤＶＤを壁に直接見せて美しく飾るための壁貼り展示保持具を提供する事を目的としている。【解決手段】  ＣＤ・ＤＶＤジャケット面を全て見せて展示するために、ホルダー部を透明のプラスチックスにする。壁への取りつけは、粘着タブを使用して貼りつける。粘着タブを使用する事により、取り外す際に、のり残しもなく簡単にしかもきれいにはがす事ができる。薄板に開閉自在の開閉片を設ける事により、粘着タブを固定する際に、つまみ部分が展示保持具本体から露出しない状態で固定できる為、ＣＤ・ＤＶＤを壁に直接見せて美しく飾れる壁貼り展示保持具となった。【選択図】  図１
2004272207.tif 000002
【特許請求の範囲】
【請求項１】
薄板（１）に開閉自在の開閉片（３）を設け、その開閉片の裏側に、粘着タブ（４）のつまみ部（４ａ）が開閉片を閉じた状態では露出せず、開閉片を手前方向に引くと露出する状態の位置で固定し、薄板の表側に、ＣＤ・ＤＶＤケースを載せた際には落下しない状態で支えるスペーサー（６ａ）と、その載せた状態で、ＣＤ・ＤＶＤケースを薄板にある縦の一端の位置で決めるスペーサー（６ｂ）と、ＣＤ・ＤＶＤケースが手前方向に倒れ、飛び出さない状態で支える透明プラスチックスホルダー（２）とで構成されたＣＤ・ＤＶＤ用壁貼り展示保持具。
【請求項２】
薄板（１）に開閉自在の開閉片（３）のかわりに開口窓（５）を設け、その開口窓の裏側に窓枠線（Ｄ）上に粘着タブ（４）の粘着境界線（４ｃ）を任意の位置で合わせて固定した請求項１記載のＣＤ・ＤＶＤ用壁貼り展示保持具。
【請求項３】
薄板（１）に開閉自在の開閉片（３）のかわりに脱着自在の蓋（３ｄ）を有した切り欠き部（３ｃ）を設け、その切り欠き部の裏側に、粘着タブのつまみ部が蓋を着けた状態では露出せず、蓋を脱すると露出する状態の位置で固定した請求項１記載のＣＤ・ＤＶＤ用壁貼り展示保持具。
【請求項４】
切り欠き部（３ｃ）を設けた薄板（１ａ）と、開閉自在の開閉片（３）を設けない請求項１記載の展示保持具の薄板（１）が開閉自在に連結され、その切り欠き部の裏側に、粘着タブのつまみ部が薄板（１）を閉じた状態では露出せず、薄板（１）を開けると露出する状態の位置で固定したＣＤ・ＤＶＤ用壁貼り展示保持具。
【請求項５】
開口窓（５）を設けた薄板（１ａ）と、開閉自在の開閉片（３）を設けない請求項１記載の展示保持具の薄板（１）が開閉自在に連結され、その開口窓の裏側に、粘着タブのつまみ部が薄板（１）を閉じた状態では露出せず、その薄板を開けると露出する状態で窓枠線（Ｄ）上に粘着タブの粘着境界線（４ｃ）を任意の位置で固定したＣＤ・ＤＶＤ用壁貼り展示保持具。
【請求項６】
切り欠き部（３ｃ）と位置決めスペーサー部（９）を設けた薄板（１ｂ）と、薄板を透明薄板（１ｃ）にした開閉自在の開閉片（３）を設けない請求項１記載の展示保持具とを脱着自在にして、薄板（１ｂ）と薄板（１ｃ）の隙間に有色プレート（７）を有し、薄板（１ｂ）の切り欠き部の裏側に、粘着タブ（４）のつまみ部（４ａ）が薄板（１ｂ）と薄板（１ｃ）を合わせてその隙間に有色プレート（７）を挟み込んだ状態では露出せず、薄板（１ａ）と有色プレートを外すと露出する状態の位置で固定したＣＤ・ＤＶＤ用壁貼り展示保持具。
【発明の詳細な説明】
【発明の詳細な説明】
【技術分野】
【０００１】  本発明は、壁にＣＤ・ＤＶＤジャケットを飾る目的の壁貼り展示保持具に関する。
【背景技術】
【０００２】  従来は、ＣＤ・ＤＶＤケースをより多く、しかもコンパクトに収納する収納具が殆どであり、壁にそのＣＤ・ＤＶＤジャケットを装飾品として、全て見せて直接飾る目的の実用物は無かった。
【発明の開示】
【発明が解決しようとする課題】
【０００３】  解決しようとする問題点は、ＣＤ・ＤＶＤジャケット面を全て見せて飾る為に、その表面を隠さない構造の展示保持具でなければならず、しかも展示保持具へのＣＤ・ＤＶＤの出し入れが簡単にでき、そして壁に飾る際に壁紙や壁自体を傷つけないように貼らなければならない点である。【０００４】  また、壁紙や壁自体を傷つけない為には、強力両面テープ・釘・螺子・画鋲を使わないで、粘着タブを採用する事で解決できるが、粘着タブを使用して貼る際には、粘着タブの性質上、指で粘着タブのつまみ部をつまんで引き伸ばさなければはがす事ができないので、粘着タブを展示保持具の裏側に固定するには、展示保持具の外周辺からつまみ部がはみ出した状態での固定となり、外観上つまみ部が目立ち美しくないといった問題点もある。
【課題を解決するための手段】
【０００５】  本発明の展示保持具は、上記課題を解決する為に、薄板（１）の表側に素材が透明のプラスチックスホルダー部（２）を設けている。【０００６】  本発明の展示保持具においては、薄板（１）に開閉自在の開閉片（３）を設けている。【０００７】  また、別の薄板（１）には開閉自在の開閉片（３）のかわりに開口窓（５）を設けている。【０００８】  また、別の薄板（１）には開閉自在の開閉片（３）のかわりに切り欠き部（３ｃ）を設け、そこに脱着自在の蓋（３ｄ）を有している。【０００９】  また、別の薄板（１ａ）には、開閉自在の開閉片（３）のかわりに切り欠き部（３ｃ）を設け、それに開閉自在に連結された薄板（１）を有している。【００１０】  また、別の薄板（１ａ）には、開閉自在の開閉片（３）のかわりに開口窓（５）を設け、それに開閉自在に連結された薄板（１）を有している。【００１１】  また、別の薄板（１ｂ）には、開閉自在の開閉片（３）のかわりに切り欠き部（３ｃ）を設け、その薄板（１ｂ）と脱着自在の透明薄板（１ｃ）との隙間に有色プレート（７）を有している。
【発明の効果】
【００１２】  本発明の効果として、本発明のＣＤ・ＤＶＤ用壁貼り展示保持具は、粘着タブを使用する事により、壁への取り外しの際に壁にのり跡や傷をつけないで取り外しができ、しかも薄板に開閉片や、脱着自在の蓋を有した切り欠き部を設けたり、切り欠き部を覆う開閉自在に連結された薄板や、脱着自在の薄板を設ける事で、その裏側に粘着タブを固定する際において粘着タブのつまみ部が露出しない状態で美しく展示保持具を壁に貼る事ができた。【００１３】  薄板の表側に設けた透明プラスチックスホルダーにより、その素材の透明性からＣＤ・ＤＶＤジャケットを隠す事無く全てを見せて飾る事ができる展示保持具となった。【００１４】  ところが、薄板の反中心方向に粘着タブのつまみ部を引き伸ばすように固定したものは、はがす際にその引き伸ばす方向に何らかの障害物がある場合にはがし難く、必然的にこの展示保持具を壁に貼る場所に制約が生じた。これに対し、薄板に開口窓を設けると、粘着タブを固定する位置が任意の位置で固定ができる為、壁に貼った後のはがす際の状況に応じて壁のいかなる場所にも制約を受けずに貼る事ができるようになった。【００１５】  また、ＣＤ・ＤＶＤケースを展示保持具に挿入していない状態で、有色プレートと脱着自在の透明薄板との隙間に、有色プレートを台紙として、写真・カードを入れて飾る事ができ、しかも有色プレート自体に配色やデザインが自由にできるので、この展示保持具自体が室内装飾品となった。
【発明を実施するための最良の形態】
【００１６】  基本的に薄板は有色で、素材にプラスチックスや紙や木材または金属を用いた薄板の表側に透明プラスチックスのホルダー部分を設ける。薄板の裏側に固定する粘着タブのつまみ部が展示保持具本体の表側から露出しないように、次の図の例に示すように実施した。
【実施例１】
【００１７】  図１は、請求項１の基本構成を表した実施例であり、この図の中にある開閉片（３）を閉じた状態では粘着タブ（４）のつまみ部（４ａ）が露出しない状態で薄板（１）の裏側に固定して壁に貼りつけ，図５のようにＣＤ・ＤＶＤケースをプラスチックスホルダー部（２）の内側で、スペーサー（６ｂ）の位置まで挿入して壁に展示する。【００１８】  図１の開閉片（３）は、薄板（１）の材質により、折り曲げ式や開閉自在に連結され開閉できる。【００１９】  図６のように壁に貼られた展示保持具を壁から取り外す際は、図７のように、まずＣＤ・ＤＶＤケースを外し、図８のように開閉片（３）を手前方向に開けて粘着タブ（４）のつまみ部（４ａ）を指でつまめる状態にする。次に、図９のように上方向につまみ部（４ａ）を引き伸ばすと、粘着タブ（４）はその形態が変化する事で粘着力が低下し、図１０のように粘着していた壁と展示保持具の双方からはがれ、展示保持具を取り外す事ができる。【００２０】  図１２から図２１は請求項１の実施例であるが、図１８については、左図を基に説明すると、開閉片（３）を上部と右側の縦辺に２ヶ所設ける事により、展示保持具を９０度の角度で回転させて使う事ができ、それまでの対称方向からＣＤ・ＤＶＤケースの挿入が可能となる。【００２１】  図１６は請求項１のスペーサー（６ｂ）を設けない実施例であるが、ＣＤ・ＤＶＤケースをスペーサー（６ａ）に載せた状態で、左右どちらの方向からも出し入れができる。
【実施例２】
【００２２】  図２２と図２３は請求項２の基本構成を表した実施例であり、この展示保持具の特徴は薄板（１）に設けた開口窓（５）にある。粘着タブ（４）はその性質上、つまみ部（４ａ）を一定の方向に引っ張り出さないとはがれない為に、請求項１の展示保持具のように固定して使う場合、引き伸ばす方向に障害物があると展示保持具が取り外し難いという問題があり、壁に貼りつける位置に制約が生じる。しかしこの実施例の場合、粘着タブ（４）を固定する位置が窓枠線上で、壁の条件に合わせて任意に決められ、しかも粘着タブ（４）を引き伸ばす方向が展示保持具の中心方向へ向く事で、壁に貼りつける位置の制約という問題について解決した。
【実施例３】
【００２３】  図２４は請求項３の基本構成を表した実施例である。この展示保持具の特徴は薄板（１）に設けた切り欠き部（３ｃ）に脱着自在の蓋（３ｄ）を有している点にある。請求項１の開閉自在で折り曲げ式の開閉片（３）の場合、壁への取りつけ取り外しが頻繁に行われるような使い方の時は、薄板（１）の材質により開閉片（３）が破損する事が考えられる。そこでこの場合、開閉片（３）の部分をはじめから切り離し、脱着自在の蓋（３ｄ）とする事でこの問題に対応した。
【実施例４】
【００２４】  図２５は請求項４の基本構成を表した実施例である。この展示保持具の特徴は図２０の蓋（３ｄ）のかわりに、開閉自在の薄板（１）を有している点にある。請求項１の開閉片（３）や請求項３の蓋（３ｄ）の場合、ＣＤ・ＤＶＤケースを挿入していない状態において、開閉片（３）部分と脱着自在の蓋（３ｄ）部分が外観上見てわかり、美しくない点となりうる。そこでこの場合、切り欠き部（３ｃ）を設けた薄板（１ａ）と、開閉自在の開閉片（３）を設けない請求項１記載の展示保持具の薄板（１）が開閉自在に連結された構成にする事により、外観上の美しくない点について対応した。
【実施例５】
【００２５】  図２６は請求項５の基本構成を表した実施例である。この展示保持具の特徴は、請求項２のように開口窓（５）を設けた薄板（１ａ）と、開閉自在の開閉片（３）を設けない請求項１記載の展示保持具の薄板（１）が開閉自在に連結されている点にある。請求項２の場合、ＣＤ・ＤＶＤケースを展示保持具に挿入していない際に、開口窓（５）から粘着タブのつまみ部（４ａ）が常に露出した状態となり外観上美しくなく、この問題について、薄板（１ａ）に開閉自在に連結された薄板（１）を閉じた状態で覆い隠す事でこの問題に対応した。
【実施例６】
【００２６】  図２７から図３３は請求項６の基本構成を表した実施例である。この展示保持具の特徴は図３３に示したように、薄板部（１ｂ）と有色プレート部（７）と開閉自在の開閉片（３）を設けない請求項１の展示保持具の薄板を透明薄板部（１ｃ）としたこれら三つのパーツで構成されている。薄板部（１ｂ）と透明薄板部（１ｃ）脱着自在で、薄板部（１ｂ）と透明薄板部（１ｃ）を合わせた隙間に有色プレート（７）を差し込んで使う。この時、有色プレート（７）と透明薄板部（１ｃ）を合わせて切り欠き部（３ｃ）を覆い隠す事で、請求項４の外観上の問題点について、別の構成で対応した。【００２７】  図３１と図３２ように、ＣＤ・ＤＶＤケースを挿入していない状態で、有色プレート（７）を台紙として有色プレート（７）と透明薄板（１ｃ）との間に、写真・カードを入れて壁に飾る事ができる。【００２８】  この実施例６では、ＣＤ・ＤＶＤケースを挿入していない状態で、有色プレート（７）はそれ自体に配色やデザインが自由にできるので、この壁貼り展示保持具自体が室内装飾になりうる。
【図面の簡単な説明】
【００２９】
【図１】  請求項１の実施例を示す斜視図である。（実施例１）
【図２】  図１の左側面図である。
【図３】  粘着タブを固定する前の状態を示す正面図である。
【図４】  図１の背面図である。
【図５】  請求項１の実施例にＣＤ・ＤＶＤケースを挿入した状態を示す図である。
【図６】  図５の展示保持具を壁に貼った状態を示す左側面図である。
【図７】  図６からＣＤ・ＤＶＤケースを抜き取った状態を示す左側面図である。
【図８】  図７から開閉片を手前方向に開けた状態を示す左側面図である。
【図９】  図８から粘着タブを引き上げている状態を示す左側面図である。
【図１０】  粘着タブを引きはがし、壁から展示保持具を分離した状態を示す左側面図である。
【図１１】  請求項１の実施例を構成する部品図である。
【図１２】  請求項１の実施例を示す正面図である。
【図１３】  請求項１の実施例を示す正面図である。
【図１４】  請求項１の実施例を示す正面図である。
【図１５】  図１４の左側面図である。
【図１６】  請求項１のスペーサー（６ｂ）を設けない実施例を示す正面図である。
【図１７】  図１６の左側面図である。
【図１８】  請求項１の実施例を示す正面図である。
【図１９】  請求項１の実施例を示す正面図である。
【図２０】  請求項１の実施例を示す正面図である。
【図２１】  請求項１の実施例を示す正面図である。
【図２２】  請求項２の実施例を示す正面図である。（実施例２）
【図２３】  請求項２の実施例を示す正面図である。
【図２４】  請求項３の実施例を示す正面図である。（実施例３）
【図２５】  請求項４の実施例を示す正面図である。（実施例４）
【図２６】  請求項５の実施例を示す正面図である。（実施例５）
【図２７】  請求項６の実施例を示す正面図である。（実施例６）
【図２８】  図２７の背面図である。
【図２９】  図２７の平面図である。
【図３０】  図２７の左側面図である。
【図３１】  図２７の７と１ｃの間に写真・カードを挿入する状態を示す図である。
【図３２】  図２７に、写真・カードを挿入した状態を示す図である。
【図３３】  請求項６の実施例を構成する部品図である。
【符号の説明】
【００３０】１      薄板
１ａ    薄板
１ｂ    薄板
１ｃ    透明薄板
２      透明プラスチックスホルダー
３      開閉片
３ｃ    切り欠き部
３ｄ    蓋
４      粘着タブ
４ａ    つまみ部
４ｂ    粘着部
４ｃ    粘着境界線
５      開口窓
６ａ    スペーサー
６ｂ    スペーサー
７      有色プレート
８ａ    スライドレール部
８ｂ    スライドレール部
９      位置決めスペーサー
Ｄ      窓枠線
【図１】
2004272207.tif 000003
【図２】
2004272207.tif 000004
【図３】
2004272207.tif 000005
【図４】
2004272207.tif 000006
【図５】
2004272207.tif 000007
【図６】
2004272207.tif 000008
【図７】
2004272207.tif 000009
【図８】
2004272207.tif 000010
【図９】
2004272207.tif 000011
【図１０】
2004272207.tif 000012
【図１１】
2004272207.tif 000013
【図１２】
2004272207.tif 000014
【図１３】
2004272207.tif 000015
【図１４】
2004272207.tif 000016
【図１５】
2004272207.tif 000017
【図１６】
2004272207.tif 000018
【図１７】
2004272207.tif 000019
【図１８】
2004272207.tif 000020
【図１９】
2004272207.tif 000021
【図２０】
2004272207.tif 000022
【図２１】
2004272207.tif 000023
【図２２】
2004272207.tif 000024
【図２３】
2004272207.tif 000025
【図２４】
2004272207.tif 000026
【図２５】
2004272207.tif 000027
【図２６】
2004272207.tif 000028
【図２７】
2004272207.tif 000029
【図２８】
2004272207.tif 000030
【図２９】
2004272207.tif 000031
【図３０】
2004272207.tif 000032
【図３１】
2004272207.tif 000033
【図３２】
2004272207.tif 000034
【図３３】
2004272207.tif 000035